Podtech/llm-jp-corpus-v4-ja_patent huggingface dataset:
【手続補正書】
【提出日】平成16年10月26日(2004.10.26)
【手続補正１】
【補正対象書類名】明細書
【補正対象項目名】発明の名称
【補正方法】変更
【補正の内容】
【発明の名称】移動体誘導システム
【手続補正２】
【補正対象書類名】明細書
【補正対象項目名】特許請求の範囲
【補正方法】変更
【補正の内容】
【特許請求の範囲】
【請求項１】
ユーザーが利用し、自身の現在位置を測位検出可能な通信機能を有する移動体通信端末と、前記移動体通信端末より位置情報および端末情報を取得して前記移動体通信端末を管理する管理装置とを備えた移動体誘導システムであって、
任意の形状大きさの少なくとも一つの特定領域を地理上に設定して監視可能な領域設定手段と、
前記移動体通信端末の位置情報および端末情報を取得し、前記領域設定手段にて設定された特定領域内の前記移動体通信端末の数を算出する算出手段と、
前記移動体通信端末の数と、予め設定された特定の閾値とに基づいて、前記特定領域内の混雑状況を判定する判定手段と、
前記判定手段にて判定された前記混雑状況に基づいて、適切な情報を前記移動体通信端末又は特定の告知手段に対して通知する通知手段と、
を含むことを特徴とする移動体誘導システム。
【請求項２】
特定期間における前記特定領域へ進入する前記移動体通信端末の数と、前記特定領域から進出する前記移動体通信端末の数の各々を算出する算出手段と、
進出進入する各前記移動体通信端末の数の経時的変化を統計化する統計化手段と、
前記統計化手段にて統計化された経時的に変化する混雑分布の統計情報に基づいて、前記特定領域内の今後の混雑具合を予測する予測手段と、
をさらに有することを特徴とする請求項１に記載の移動体誘導システム。
【請求項３】
前記移動体通信端末の端末情報と、前記統計情報とに基づいて、前記ユーザーの行動パターンを分析する分析手段をさらに有することを特徴とする請求項２に記載の移動体誘導システム。
【請求項４】
前記通知手段は、前記領域設定手段にて設定された前記特定領域が混雑であると判定された場合に、前記特定領域以外の比較的空きのある他の領域へ誘導する旨の通知情報を通知することを特徴とする請求項１に記載の移動体誘導システム。
【請求項５】
前記通知手段は、前記特定領域内の移動体通信端末、もしくは前記特定領域に向かうと思われる前記特定領域外の移動体通信端末のユーザーに対して前記通知情報を通知することを特徴とする請求項４に記載の移動体誘導システム。
【請求項６】
前記通知手段は、前記行動パターンを含む前記統計情報と、現在の前記混雑状況とから個々のユーザーに応じた前記各領域を移動する最適なルートを各々推定して前記各ユーザーを各々誘導する情報を提供することを特徴とする請求項３に記載の移動体誘導システム。
【請求項７】
前記端末情報は、ユーザーを特定の趣向に応じて分類識別する識別情報を含み、
前記算出手段は、前記識別情報に基づいて、前記特定領域内の前記ユーザーのうち予め指定された前記識別情報に適合するユーザーの前記移動体通信端末の数を取得し、前記識別情報に基づいて、前記特定領域内の滞在時間を前記識別情報の分類項目毎に算出することを特徴とする請求項１に記載の移動体誘導システム。
【請求項８】
前記告知手段は、電子掲示板もしくは広告配信によるものであることを特徴とする請求項１に記載の移動体誘導システム。
【請求項９】
前記領域設定手段は、車両を中心とした領域に設定し、
前記通知手段は、前記車両の混雑状況を通知することを特徴とする請求項１に記載の移動体誘導システム。
【請求項１０】
前記領域設定手段は、複数の各店舗を中心とした各領域に各々設定し、
前記通知手段は、各前記店舗のうちいずれか一つの店舗が混雑と判断された場合に、当該混雑と判断されない他の店舗を建物に設置された電子掲示板に優先して通知することを特徴とする請求項１に記載の移動体誘導システム。
【請求項１１】
前記領域設定手段は、観光地の各施設を中心とした各領域に各々設定し、
前記各領域内の各移動体通信端末の各端末情報を取得し、該各領域内の滞在時間を各性別、年齢層毎に調査し、
前記通知手段は、興味の度合いが高いと判定された領域の前記各性別、各年齢層に比較的近い端末情報を有する前記移動体通信端末に対して、前記領域に誘導する旨の通知を行なうことを特徴とする請求項１に記載の移動体誘導システム。
【請求項１２】
前記領域設定手段は、複数の各車両を中心とした各領域に各々設定し、
前記通知手段は、各領域内の各移動体通信端末の各端末情報を取得した結果、観光目的の車両に対しては観光地への案内情報を通知し、移動目的の車両に対しては混雑状況の回避の案内を通知することを特徴とする請求項１に記載の移動体誘導システム。
【請求項１３】
前記領域設定手段は、特定区間の特定方向の道路の領域に設定し、
前記通知手段は、渋滞を抜け出すのに必要な時間情報を通知することを特徴とする請求項２に記載の移動体誘導システム。
【手続補正３】
【補正対象書類名】明細書
【補正対象項目名】０００１
【補正方法】変更
【補正の内容】
【０００１】
本発明は、移動体通信端末の位置情報による移動体誘導システムに関する。
【手続補正４】
【補正対象書類名】明細書
【補正対象項目名】０００９
【補正方法】削除
【補正の内容】
【手続補正５】
【補正対象書類名】明細書
【補正対象項目名】０１０６
【補正方法】変更
【補正の内容】
【０１０６】
（第６応用例）
次に、第１の実施の形態の参考事例である第６応用事例について説明する。例えば、位置を通知する端末が車両に固定される装置であれば、その車の目的（観光・移動・業務等）を固定情報とする事で、その車両に提供する情報の選別を行う。
【手続補正書】
【提出日】平成16年7月8日(2004.7.8)
【手続補正１】
【補正対象書類名】明細書
【補正対象項目名】特許請求の範囲
【補正方法】変更
【補正の内容】
【特許請求の範囲】
【請求項１】
コンピュータにより、２値画像データである入力画像データ内のある画素を指定して、その画素を含む連結成分を抽出する連結成分抽出方法であって、
前記指定した画素を起点にして外側に注目点を移動して境界点を求める処理工程と、
前記境界点から境界追跡をして得られる境界線が前記連結成分の最も外側の境界線であるか判定する処理工程と、
前記連結成分の最も外側の境界線である場合、その境界追跡によって連結成分を囲む矩形を生成する処理工程と、
前記矩形を対象として目的の連結成分を生成する処理工程と
を備えたことを特徴とするコンピュータによる連結成分抽出方法。
【請求項２】
請求項１に記載の連結成分抽出方法において、
前記連結成分の最も外側の境界線であるか判定する処理工程は、
前記指定した画素と境界線上の注目点を結ぶ直線が、境界追跡をする間に、前記指定した画素を中心として360度回転するか否かで、その境界線が連結成分の最も外側の境界線であるか否かを判定することを特徴とする連結成分抽出方法。
【請求項３】
２値画像データである入力画像データ内のある画素を指定して、その画素を含む連結成分を抽出する連結成分抽出装置であって、
前記指定した画素を起点にして外側に注目点を移動して境界点を求める手段と、
前記境界点から境界追跡をして得られる境界線が前記連結成分の最も外側の境界線であるか判定する手段と、
前記連結成分の最も外側の境界線である場合、その境界追跡によって連結成分を囲む矩形を生成する手段と、
前記矩形を対象として目的の連結成分を生成する手段と
を備えたことを特徴とする連結成分抽出装置。
【請求項４】
２値画像データである入力画像データ内のある画素を指定して、その画素を含む連結成分を抽出するために、コンピュータを、
前記指定した画素を起点にして外側に注目点を移動して境界点を求める手段、
前記境界点から境界追跡をして得られる境界線が前記連結成分の最も外側の境界線であるか判定する手段、
前記連結成分の最も外側の境界線である場合、その境界追跡によって連結成分を囲む矩形を生成する手段、および、
前記矩形を対象として目的の連結成分を生成する手段
として機能させるための連結成分抽出プログラム。
【手続補正２】
【補正対象書類名】明細書
【補正対象項目名】０００９
【補正方法】変更
【補正の内容】
【０００９】
すなわち、請求項１に係る発明は、コンピュータにより、２値画像データである入力画像データ内のある画素を指定して、その画素を含む連結成分を抽出する連結成分抽出方法であって、前記指定した画素を起点にして外側に注目点を移動して境界点を求める処理工程と、前記境界点から境界追跡をして得られる境界線が前記連結成分の最も外側の境界線であるか判定する処理工程と、前記連結成分の最も外側の境界線である場合、その境界追跡によって連結成分を囲む矩形を生成する処理工程と、前記矩形を対象として目的の連結成分を生成する処理工程とを備えたことを特徴とする。
【手続補正３】
【補正対象書類名】明細書
【補正対象項目名】００１０
【補正方法】変更
【補正の内容】
【００１０】
請求項２に係る発明は、請求項１に記載の連結成分抽出方法において、前記連結成分の最も外側の境界線であるか判定する処理工程は、前記指定した画素と境界線上の注目点を結ぶ直線が、境界追跡をする間に、前記指定した画素を中心として360度回転するか否かで、その境界線が連結成分の最も外側の境界線であるか否かを判定することを特徴とする。
【手続補正４】
【補正対象書類名】明細書
【補正対象項目名】００１１
【補正方法】変更
【補正の内容】
【００１１】
請求項３に係る発明は、２値画像データである入力画像データ内のある画素を指定して、その画素を含む連結成分を抽出する連結成分抽出装置であって、前記指定した画素を起点にして外側に注目点を移動して境界点を求める手段と、前記境界点から境界追跡をして得られる境界線が前記連結成分の最も外側の境界線であるか判定する手段と、前記連結成分の最も外側の境界線である場合、その境界追跡によって連結成分を囲む矩形を生成する手段と、前記矩形を対象として目的の連結成分を生成する手段とを備えたことを特徴とする。
【手続補正５】
【補正対象書類名】明細書
【補正対象項目名】００１２
【補正方法】変更
【補正の内容】
【００１２】
請求項４に係る発明は、２値画像データである入力画像データ内のある画素を指定して、その画素を含む連結成分を抽出するために、コンピュータを、前記指定した画素を起点にして外側に注目点を移動して境界点を求める手段、前記境界点から境界追跡をして得られる境界線が前記連結成分の最も外側の境界線であるか判定する手段、前記連結成分の最も外側の境界線である場合、その境界追跡によって連結成分を囲む矩形を生成する手段、および、前記矩形を対象として目的の連結成分を生成する手段として機能させるための連結成分抽出プログラムである。
【手続補正書】
【提出日】平成17年6月24日(2005.6.24)
【手続補正１】
【補正対象書類名】明細書
【補正対象項目名】発明の名称
【補正方法】変更
【補正の内容】
【発明の名称】制御信号生成回路、データ線駆動回路、素子基板、電気光学装置、及び電子機器
【手続補正２】
【補正対象書類名】明細書
【補正対象項目名】特許請求の範囲
【補正方法】変更
【補正の内容】
【特許請求の範囲】
【請求項１】
サンプリング信号線を介して供給されるサンプリング信号に基づいて、走査線を介して画素に供給される走査信号またはデータ線を介して画素に供給されるデータ信号の送出を制御する制御信号を出力する制御信号生成回路であって、
第１の端子と第２の端子とを備え、前記第１の端子と前記第２の端子との間に容量が形成される容量素子であって、前記サンプリング信号線に前記第１の端子が接続された容量素子と、
前記第２の端子に接続された第１のスイッチング素子と、を含み、
前記サンプリング信号線を介して供給される前記第１の端子に供給されるサンプリング信号に応答して前記第２の端子に接続された出力端から電圧信号が出力され、当該電圧信号が前記制御信号あるいは前記電圧信号が加工されて前記制御信号として用いられること、
を特徴とする制御信号生成回路。
【請求項２】
請求項２に記載の制御信号生成回路において、
前記第２の端子に接続され、第１の電源線と前記第２の端子との電気的な接続を制御する第１のスイッチング素子をさらに備えていること、
を特徴とする制御信号生成回路。
【請求項３】
請求項２に記載の制御信号生成回路において、
前記第２の端子に接続された、前記第２の端子と第２の電源線との電気的な接続を制御する第２のスイッチング素子をさらに備えていること、
を特徴とする制御信号生成回路。
【請求項４】
請求項２に記載の制御信号生成回路において、
前記第１のスイッチング素子は、前記第１の電源線と前記第２の端子とを電気的に接続することにより前記第２の端子の電位を所定電位に設定し、
前記第１の端子に前記サンプリング信号が供給されている期間は、前記第１の電源線と前記第２の端子とを電気的に切断すること、
を特徴とする制御信号生成回路。
【請求項５】
請求項３に記載の制御信号生成回路において、
前記第１のスイッチング素子及び前記第２のスイッチング素子は、当該サンプリング信号線とは異なる、隣接するサンプリング信号線を介して供給されるサンプリング信号によって制御されること、
を特徴とする制御信号生成回路。
【請求項６】
請求項１乃至４のいずれかに記載の制御信号生成回路において、
前記容量素子の前記第２の端子は、バッファ回路に接続されていること、を特徴とする制御信号生成回路。
【請求項７】
請求項３に記載の制御信号生成回路において、
前記第１の電源線の電位は、前記第２の電源線の電位とは異なる電位に設定されていること、
を特徴とする制御信号生成回路。
【請求項８】
前記サンプリング信号線の各々に対して設けられた請求項
１３乃至１９のいずれかに記載の制御信号生成回路と、
前記サンプリング信号の出力のタイミングを制御するシフトレジスタと、
前記制御信号生成回路の出力によって制御される少なくとも１つのスイッチング素子と、を備えたこと、
を特徴とするデータ線駆動回路。
【請求項９】
データ線と走査線との交差部に対応して配設された画素回
路に画像信号を前記データ線を介して前記画素回路に供給するデータ線駆動回路であって、
サンプリング信号線を介して供給されるサンプリング信号の出力を制御するシフトレジスタと、
第１の端子と第２の端子とを備え、前記第１の端子と前記第２の端子との間に容量が形成された容量素子であって、前記サンプリング信号線に前記第１の端子が接続された容量素子と、
画像信号を伝送する画像信号線と、
前記サンプリング信号線を介して供給される前記第１の端子に供給されるサンプリング信号に応答して前記第２の端子に接続された出力部から出力された制御信号により、制御されるスイッチング素子と、を含み、
前記スイッチング素子は、前記制御信号が供給されて前記スイッチング素子がオン状態となることにより、前記画像信号線に伝送された画像信号を前記スイッチング素子を介して前記データ線に送出すること、を特徴とするデータ線駆動回路。
【請求項１０】
請求項９に記載のデータ線駆動回路において、
前記制御信号は、前記サンプリング信号が前記第１の端子に供給されている期間のみ出力されること、
を特徴とするデータ線駆動回路。
【請求項１１】
請求項９または１０に記載のデータ線駆動回路において、
前記出力部は、前記第２の端子に接続されたバッファ回路を含み、
前記バッファ回路は前記第１の端子に前記サンプリング信号が供給されている期間における前記第２の端子の電位を前記バッファ回路の入力とした場合の出力と、
前記サンプリング信号が前記第１の端子に供給されていない期間における前記第２の端子の電位を前記バッファ回路の入力した場合の前記バッファ回路の出力と、は互いに異なっていること、
を特徴とするデータ線駆動回路。
【請求項１２】
請求項１１に記載のデータ線駆動回路において、
前記バッファ回路は、前記第２の端子に接続されたインバータ回路を含み、
前記インバータ回路のインバータ中心の電位は、
前記サンプリング信号が前記第１の端子に供給されている期間の前記第２の端子の電位と、
前記サンプリング信号が前記第１の端子に供給されていない期間の前記第２の端子の電位と、の間の電位に設定されていること、
を特徴とするデータ線駆動回路。
【請求項１３】
基板と、
前記基板上に形成された走査線と、
前記基板上に形成された画素回路と、
前記走査線を介して走査信号を前記画素回路に供給する、前記基板上に形成された走査線駆動回路と、
請求項９乃至１２のいずれかに記載のデータ線駆動回路であって、前記基板
上に形成されたデータ線駆動回路と、
前記データ線駆動回路から出力された画像信号を前記画素回路に供給する、前記基板上に形成されたデータ線と、を備えたこと、
を特徴とする素子基板。
【請求項１４】
電気光学素子と、
前記電気光学素子を駆動する画素回路と、
走査線と、
前記走査線を介して走査信号を前記画素回路に供給する走査線駆動回路と、
請求項９乃至１２のいずれかに記載のデータ線駆動回路と、
前記データ線駆動回路から出力された画像信号を前記画素回路に供給するデータ線と、を備えたこと、
を特徴とする電気光学装置。
【請求項１５】
請求項１４に記載の電気光学装置を備えることを特徴とする電子機器。
【請求項１６】
走査線を介して画素に供給される走査信号またはデータ線を介して画素に供給されるデータ信号の送出を制御する制御信号を出力する制御信号生成回路であって、
前記制御信号は、信号変換部の第１の端子及び第２の端子に入力された信号に基づいて生成し、
前記第１の端子には第１のサンプリング信号線が接続され、前記第１の端子の電圧は前記第１のサンプリング信号を介して供給される第１のサンプリング信号により制御され、
前記第２の端子の電位は前記第１のサンプリング信号線とは異なる第２のサンプリング信号線を介して供給される第２のサンプリング信号によって制御されること、
を特徴とする制御信号生成回路。
【手続補正書】
【提出日】平成17年6月24日(2005.6.24)
【手続補正１】
【補正対象書類名】明細書
【補正対象項目名】発明の名称
【補正方法】変更
【補正の内容】
【発明の名称】制御信号の生成方法、データ線の駆動方法、電気光学装置、及び電子機器
【手続補正２】
【補正対象書類名】明細書
【補正対象項目名】特許請求の範囲
【補正方法】変更
【補正の内容】
【特許請求の範囲】
【請求項１】
サンプリング信号線を介して供給されるサンプリング信号に基づいて、走査線を介して画素に供給される走査信号またはデータ線を介して画素に供給されるデータ信号の送出を制御する制御信号を生成するための制御信号の生成方法であって、
第１の端子と第２の端子とを備え、前記第１の端子と前記第２の端子との間に容量が形成される容量素子の前記第２の端子の電位を第１の電位に設定した後、
前記第２の端子をフローティング状態とするフローティング期間を設け、  前記フローティング期間内に前記サンプリング信号を前記第１の端子に供給し、前記第１の端子の電位を第２の電位とすることにより、前記第２の端子の電位を前記第１の電位と前記第２の電位とから合成される第３の電位とする第１のステップを含み、
前記第３の電位に基づいて前記制御信号を生成すること、
を特徴とする制御信号の生成方法。
【請求項２】
請求項１に記載の制御信号の生成方法において、
バッファ回路に前記第２の端子の電位を入力信号として供給することにより、前記制御信号を出力すること、
を特徴とする制御信号の生成方法。
【請求項３】
請求項１または２に記載の制御信号の生成方法において、
実質的に２値の電圧値を前記制御信号として出力すること、
を特徴とする制御信号の生成方法。
【請求項４】
請求項２に記載の制御信号の生成方法において、
前記第１の電位を前記バッファ回路の入力信号として前記バッファ回路に供給することにより出力される前記制御信号の電圧値は、前記第３の電位を前記バッファ回路の入力信号として前記バッファ回路に供給することにより出力される前記制御信号の電圧値と異なっていること、
を特徴とする制御信号の生成方法。
【請求項５】
請求項１乃至４のいずれかに記載の制御信号の生成方法において、
前記第１のステップを行う前に、前記第２の端子を第１のスイッチング素子を介して第１の電源線に接続することにより前記第２の端子を前記第１の電位に設定する第２のステップを行うこと、
を特徴とする制御信号の生成方法。
【請求項６】
請求項１乃至５のいずれかに記載の制御信号の生成方法において、
前記第１のステップの後に、前記第２の端子を前記第１のスイッチング素子を介して前記第１の電源線に接続することにより前記第２の端子を前記第１の電位に設定する第３のステップをさらに含むこと、
を特徴とする制御信号の生成方法。
【請求項７】
請求項１乃至５のいずれかに記載の制御信号の生成方法において、
前記第１のステップの後に、前記第２の端子を第２のスイッチング素子を介して第２の電源線に接続することにより前記第２の端子の電位を第４の電位に設定する第４のステップをさらに含むこと、
を特徴とする制御信号の生成方法。
【請求項８】
請求項７に記載の制御信号の生成方法において、
前記第４のステップの後に前記第２のステップをさらに行うこと、
を特徴とする制御信号の生成方法。
【請求項９】
請求項１乃至８のいずれかに記載の制御信号の生成方法において、
シフトレジスタにより、前記サンプリング信号の出力のタイミングの制御を行うこと、
を特徴とする制御信号の生成方法。
【請求項１０】
請求項５または６に記載の制御信号の生成方法において、
隣接する他のサンプリング信号線からサンプリング信号によって、前記第１のスイッチング素子を制御すること、
を特徴とする制御信号の生成方法。
【請求項１１】
請求項７に記載の制御信号の生成方法において、
隣接する他のサンプリング信号線から出力されるサンプリング信号によって、
前記第２のスイッチング素子を制御すること、
を特徴とする制御信号の生成方法。
【請求項１２】
請求項１乃至１１のいずれかに記載の制御信号方法により、データ線に対するデータ信号の送出を制御すること、
を特徴とするデータ線の駆動方法。
【請求項１３】
請求項１２に記載のデータ線の駆動方法が用いられる電気光学装置。
【請求項１４】
請求項１３に記載の電気光学装置を備えた電子機器。
【手続補正３】
【補正対象書類名】明細書
【補正対象項目名】００２６
【補正方法】変更
【補正の内容】
【００２６】
また、本発明の第１２の制御信号生成方法は、上記の制御信号生成方法において、前記第１のスイッチング素子及び前記第２のスイッチング素子を制御するサンプリング信号を互いに異なるサンプリング信号線を介して供給することを特徴とする。
本発明のデータ線の駆動方法は、上記の制御信号方法により、データ線に対するデータ信号の送出を制御することを特徴とする。
上記のデータ線の駆動方法は、電気光学装置に適用することができる。
【手続補正書】
【提出日】平成17年3月7日(2005.3.7)
【手続補正１】
【補正対象書類名】明細書
【補正対象項目名】特許請求の範囲
【補正方法】変更
【補正の内容】
【特許請求の範囲】
【請求項１】
デコーダ回路を有する液晶駆動装置であって、前記デコーダ回路は、液晶パネルのセグメントの割付情報を格納する不揮発性メモリ素子とゲートトランジスタとを直列に接続する回路を複数備え、書き込み制御信号によって、前記割付情報を書き換えることで、前記回路のうちで出力可能な１つを選択して信号を出力することを特徴とする液晶駆動装置。
【請求項２】
前記不揮発性メモリ素子は、ゲート電極の下に第１の酸化膜と窒化膜と第２の酸化膜との薄膜３層構造を有することを特徴とする請求項１に記載の液晶駆動装置。
【手続補正書】
【提出日】平成17年7月15日(2005.7.15)
【手続補正１】
【補正対象書類名】明細書
【補正対象項目名】特許請求の範囲
【補正方法】変更
【補正の内容】
【特許請求の範囲】
【請求項１】
ｎビットの任意の整数ｋを入力とし、予め与えられた有限体Ｆ上のモンゴメリ型楕円曲線Ｅ上の点Ｇに対して、スカラ倍点ｋ＊Ｇを出力する楕円曲線演算装置であって、
予め決定されたｎ以下の種類のスカラを係数とする点Ｇのスカラ倍点を第１加算要素とする前記楕円曲線Ｅ上の加算を繰り返すことによって前記スカラ倍点ｋ＊Ｇを算出するスカラ倍演算手段と、
前記スカラ倍点ｋ＊Ｇのｙ座標を復元するｙ座標復元手段と
を備えることを特徴とする楕円曲線演算装置。
【請求項２】
前記第１加算要素は、Ｇ，２＊Ｇ，（２＾２）＊Ｇ，…，（２＾（ｎ−１））＊Ｇのいずれかであり、
前記スカラ倍演算手段は、３項組の射影座標（ｘ、ｙ、ｚ）を用いて、前記第１加算要素のｘ座標を用いた前記楕円曲線Ｅ上の加算を繰り返すことによって、前記スカラ倍点ｋ＊Ｇのｘ及びｚ座標を算出し、
前記ｙ座標復元手段は、３項組の射影座標（ｘ、ｙ、ｚ）を用いて、前記スカラ倍点ｋ＊Ｇのｘ及びｚ座標と、前記スカラ倍点ｋ＊Ｇの算出に用いられた第１加算要素と加算された第２加算要素のｘ及びｚ座標と、前記第１加算要素のｘ及びｙ座標とから前記スカラ倍点ｋ＊Ｇのｙ座標を復元する
ことを特徴とする請求項１記載の楕円曲線演算装置。
【請求項３】
前記第１加算要素は、２＊Ｇ，３＊Ｇ，６＊Ｇ，１２＊Ｇ，…，（２＾（ｎ−１）＋２（ｎ−２））＊Ｇのいずれかであり、
前記スカラ倍演算手段は、３項組の射影座標（ｘ、ｙ、ｚ）を用いて、前記第１加算要素のｘ座標を用いた前記楕円曲線Ｅ上の加算を繰り返すことによって、前記スカラ倍点ｋ＊Ｇのｘ及びｚ座標を算出し、
前記ｙ座標復元手段は、３項組の射影座標（ｘ、ｙ、ｚ）を用いて、前記スカラ倍点ｋ＊Ｇのｘ及びｚ座標と、前記スカラ倍点ｋ＊Ｇの算出に用いられた第１加算要素と加算された第２加算要素のｘ及びｚ座標と、前記第１加算要素のｘ及びｙ座標とから前記スカラ倍点ｋ＊Ｇのｙ座標を復元する
ことを特徴とする請求項１記載の楕円曲線演算装置。
【請求項４】
ｎビットの任意の整数ｋを入力とし、予め与えられた有限体Ｆ上のモンゴメリ型楕円曲線Ｅ上の点Ｇに対して、スカラ倍点ｋ＊Ｇを出力する楕円曲線演算方法であって、
予め決定されたｎ以下の種類のスカラを係数とする点Ｇのスカラ倍点を第１加算要素とする前記楕円曲線Ｅ上の加算を繰り返すことによって前記スカラ倍点ｋ＊Ｇを算出するスカラ倍演算ステップと、
前記スカラ倍点ｋ＊Ｇのｙ座標を復元するｙ座標復元ステップと
を含むことを特徴とする楕円曲線演算方法。
【請求項５】
ｎビットの任意の整数ｋを入力とし、予め与えられた有限体Ｆ上のモンゴメリ型楕円曲線Ｅ上の点Ｇに対して、スカラ倍点ｋ＊Ｇを出力する楕円曲線演算装置のためのプログラムであって、
予め決定されたｎ以下の種類のスカラを係数とする点Ｇのスカラ倍点を第１加算要素とする前記楕円曲線Ｅ上の加算を繰り返すことによって前記スカラ倍点ｋ＊Ｇを算出するスカラ倍演算ステップと、
前記スカラ倍点ｋ＊Ｇのｙ座標を復元するｙ座標復元ステップと
をコンピュータに実行させることを特徴とするプログラム。
【手続補正２】
【補正対象書類名】明細書
【補正対象項目名】００４７
【補正方法】変更
【補正の内容】
【００４７】
そこで、本発明は、モンゴメリ型楕円曲線におけるスカラ倍演算方法において、ある点Ｇの２のべき乗倍等の一定のスカラ倍点の座標を格納したテーブルを有効活用することが可能な高速な楕円曲線演算装置等であって、上記スカラ倍演算で得られたスカラ倍点のｘ座標だけでなく、ｙ座標をも生成することが可能な楕円曲線演算装置等を提供することを目的とする。
【手続補正３】
【補正対象書類名】明細書
【補正対象項目名】００４８
【補正方法】削除
【補正の内容】
【手続補正４】
【補正対象書類名】明細書
【補正対象項目名】００４９
【補正方法】変更
【補正の内容】
【００４９】
【課題を解決するための手段】
上記目的を達成するために、本発明に係る楕円曲線演算装置は、ｎビットの任意の整数ｋを入力とし、予め与えられた有限体Ｆ上のモンゴメリ型楕円曲線Ｅ上の点Ｇに対して、スカラ倍点ｋ＊Ｇを出力する楕円曲線演算装置であって、Ｇ，２＊Ｇ，（２＾２）＊Ｇ，…，（２＾（ｎ−１））＊Ｇのいずれかを第１加算要素とする前記楕円曲線Ｅ上の加算を繰り返すことによって前記スカラ倍点ｋ＊Ｇを算出するスカラ倍演算手段と、前記スカラ倍点ｋ＊Ｇのｙ座標を復元するｙ座標復元手段とを備えることを特徴とする。
【手続補正５】
【補正対象書類名】明細書
【補正対象項目名】００５０
【補正方法】削除
【補正の内容】
【手続補正６】
【補正対象書類名】明細書
【補正対象項目名】００５１
【補正方法】削除
【補正の内容】
【手続補正７】
【補正対象書類名】明細書
【補正対象項目名】００５２
【補正方法】削除
【補正の内容】
【手続補正８】
【補正対象書類名】明細書
【補正対象項目名】００５３
【補正方法】削除
【補正の内容】
【手続補正９】
【補正対象書類名】明細書
【補正対象項目名】００５４
【補正方法】削除
【補正の内容】
【手続補正１０】
【補正対象書類名】明細書
【補正対象項目名】００５５
【補正方法】削除
【補正の内容】
【手続補正１１】
【補正対象書類名】明細書
【補正対象項目名】００５６
【補正方法】削除
【補正の内容】
【手続補正１２】
【補正対象書類名】明細書
【補正対象項目名】００５７
【補正方法】削除
【補正の内容】
【手続補正１３】
【補正対象書類名】明細書
【補正対象項目名】００５８
【補正方法】削除
【補正の内容】
【手続補正１４】
【補正対象書類名】明細書
【補正対象項目名】００５９
【補正方法】削除
【補正の内容】
【手続補正１５】
【補正対象書類名】明細書
【補正対象項目名】００６０
【補正方法】削除
【補正の内容】
【手続補正１６】
【補正対象書類名】明細書
【補正対象項目名】００６１
【補正方法】削除
【補正の内容】
【手続補正１７】
【補正対象書類名】明細書
【補正対象項目名】００６２
【補正方法】削除
【補正の内容】
【手続補正１８】
【補正対象書類名】図面
【補正対象項目名】図９
【補正方法】変更
【補正の内容】
【図９】
2003288014.tif 000001
【手続補正１９】
【補正対象書類名】図面
【補正対象項目名】図３２
【補正方法】変更
【補正の内容】
【図３２】
2003288014.tif 000002
【手続補正書】
【提出日】平成16年5月21日(2004.5.21)
【手続補正１】
【補正対象書類名】明細書
【補正対象項目名】発明の名称
【補正方法】変更
【補正の内容】
【発明の名称】注文管理方法、注文管理装置、コンピュータプログラム、コンピュータ読み取り可能な記録媒体
【手続補正２】
【補正対象書類名】明細書
【補正対象項目名】特許請求の範囲
【補正方法】変更
【補正の内容】
【特許請求の範囲】
【請求項１】
画像を利用した複数のサービスの注文を管理するための注文管理方法において、
上記注文受付時に注文受付情報及び画像を入力する入力処理と、
上記入力処理で入力された画像を利用した第１のサービスの注文に対応して第１の注文識別子を生成し、上記入力処理で入力された画像を利用した第２のサービスの注文に対応して第２の注文識別子を生成する注文識別子生成処理と、
上記入力処理で入力された画像を利用した複数のサービスの注文を、上記入力処理で入力された同一の注文受付情報、及び、別々の注文識別子で管理する管理処理とを行うことを特徴とする注文管理方法。
【請求項２】
上記注文受付情報は、注文受付袋にバーコードで印刷されて管理されていることを特徴とする請求項１に記載の注文管理方法。
【請求項３】
画像を利用した複数のサービスの注文を管理するための注文管理装置において、
上記注文受付時に注文受付情報及び画像を入力する入力手段と、
上記入力手段で入力された画像を利用した第１のサービスの注文に対応して第１の注文識別子を生成し、上記入力処理で入力された画像を利用した第２のサービスの注文に対応して第２の注文識別子を生成する注文識別子生成手段と、
上記入力手段で入力された画像を利用した複数のサービスの注文を、上記入力手段で入力された同一の注文受付情報、及び、別々の注文識別子で管理する管理手段とを有することを特徴とする注文管理装置。
【請求項４】
上記注文受付情報は、注文受付袋にバーコードで印刷されて管理されていることを特徴とする請求項３に記載の注文管理装置。
【請求項５】
画像を利用した複数のサービスの注文を管理するための注文管理方法をコンピュータに実行させるためのコンピュータプログラムであって、
上記注文受付時に注文受付情報及び画像を入力する入力処理と、
上記入力処理で入力された画像を利用した第１のサービスの注文に対応して第１の注文識別子を生成し、上記入力処理で入力された画像を利用した第２のサービスの注文に対応して第２の注文識別子を生成する注文識別子生成処理と、
上記入力処理で入力された画像を利用した複数のサービスの注文を、上記入力処理で入力された同一の注文受付情報、及び、別々の注文識別子で管理する管理処理とをコンピュータに実行させることを特徴とするコンピュータプログラム。
【請求項６】
上記請求項５に記載のコンピュータプログラムを格納したことを特徴とするコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は注文管理方法、注文管理装置、コンピュータプログラム、コンピュータ読み取り可能な記録媒体に関し、特に、注文受付け時に入力した画像を再利用して複数のサービスを行うデジタル写真サービスシステムに用いて好適なものである。
【手続補正４】
【補正対象書類名】明細書
【補正対象項目名】０００７
【補正方法】変更
【補正の内容】
【０００７】
【課題を解決するための手段】
本発明の注文管理方法は、画像を利用した複数のサービスの注文を管理するための注文管理方法において、上記注文受付時に注文受付情報及び画像を入力する入力処理と、上記入力処理で入力された画像を利用した第１のサービスの注文に対応して第１の注文識別子を生成し、上記入力処理で入力された画像を利用した第２のサービスの注文に対応して第２の注文識別子を生成する注文識別子生成処理と、上記入力処理で入力された画像を利用した複数のサービスの注文を、上記入力処理で入力された同一の注文受付情報、及び、別々の注文識別子で管理する管理処理とを行うことを特徴としている。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明の注文管理装置は、画像を利用した複数のサービスの注文を管理するための注文管理装置において、上記注文受付時に注文受付情報及び画像を入力する入力手段と、
上記入力手段で入力された画像を利用した第１のサービスの注文に対応して第１の注文識別子を生成し、上記入力処理で入力された画像を利用した第２のサービスの注文に対応して第２の注文識別子を生成する注文識別子生成手段と、上記入力手段で入力された画像を利用した複数のサービスの注文を、上記入力手段で入力された同一の注文受付情報、及び、別々の注文識別子で管理する管理手段とを有することを特徴としている。
【手続補正７】
【補正対象書類名】明細書
【補正対象項目名】００１０
【補正方法】変更
【補正の内容】
【００１０】
本発明のコンピュータプログラムは、画像を利用した複数のサービスの注文を管理するための注文管理方法をコンピュータに実行させるためのコンピュータプログラムであって、上記注文受付時に注文受付情報及び画像を入力する入力処理と、上記入力処理で入力された画像を利用した第１のサービスの注文に対応して第１の注文識別子を生成し、上記入力処理で入力された画像を利用した第２のサービスの注文に対応して第２の注文識別子を生成する注文識別子生成処理と、上記入力処理で入力された画像を利用した複数のサービスの注文を、上記入力処理で入力された同一の注文受付情報、及び、別々の注文識別子で管理する管理処理とをコンピュータに実行させることを特徴としている。
【手続補正８】
【補正対象書類名】明細書
【補正対象項目名】００１３
【補正方法】変更
【補正の内容】
【００１３】
【発明の実施の形態】
次に、添付図面を参照しながら本発明の注文管理方法、注文管理装置、コンピュータプログラム、コンピュータ読み取り可能な記録媒体の実施の形態について説明する。
「第１の実施の形態」
図１は、本発明の第１の実施の形態を説明する注文管理の構成を示す図である。
図１において、左から順に、注文受付情報としての注文受付番号、注文識別子としての注文識別番号、注文情報および画像データから構成され、注文受け付け情報を中心に管理するものである。
【手続補正書】
【提出日】平成16年10月4日(2004.10.4)
【手続補正１】
【補正対象書類名】明細書
【補正対象項目名】特許請求の範囲
【補正方法】変更
【補正の内容】
【特許請求の範囲】
【請求項１】
体重、体脂肪率等の生体情報を入力する入力手段と、
前記生体情報に基づく健康管理の目標値を設定する設定手段と、
前記目標値に対する健康管理達成度を採点する採点手段と、
前記生体情報と目標値と採点結果とを履歴データとして記録するメモリ手段と、
を有することを特徴とする健康管理装置。
【請求項２】
前記入力手段を有する個人端末と、
前記設定手段と、採点手段と、メモリ手段とを有するサーバーと、
前記個人端末と前記サーバーとが通信回線を介して送受信可能なネットワークを形成することを特徴とする請求項１記載の健康管理装置。
【請求項３】
前記設定手段は、前記生体情報に基づく健康管理のための健康管理安全域を自動設定し、被験者はこの健康管理安全域内で目標値を設定することを特徴とする請求項1又は２記載の健康管理装置。
【請求項４】
前記設定手段は、前記入力手段から手動入力により目標値を設定することを特徴とする請求項1又は２記載の健康管理装置。
【請求項５】
前記設定手段は、前記生体情報に関する一般的な適正値を目標値として自動設定することを特徴とする請求項１又は２記載の健康管理装置。
【請求項６】
前記設定手段は、前記目標値に基づき、測定日における理想目標値を算出することを特徴とする請求項１乃至５の内、何れか一項に記載の健康管理装置。
【請求項７】
前記採点手段は、前記理想目標値に対する健康管理達成度を採点することを特徴とする請求項６記載の健康管理装置。
【請求項８】
前記採点手段は、採点結果を用いて目標値の異なる他人と健康管理達成度を競う比較手段を有することを特徴とする請求項１乃至７の内、何れか一項に記載の健康管理装置。
【請求項９】
前記採点手段は、前記健康管理達成度の採点に加減算する補助採点手段を、少なくとも１つ有することを特徴とする請求項１乃至８の内、何れか一項に記載の健康管理装置。
【請求項１０】
前記補助採点手段は日々の測定継続度合いを自動判定し採点することを特徴とする請求項９記載の健康管理装置。
【請求項１１】
前記補助採点手段は、測定結果が前記目標値に到達する期間の早さを自動判定し採点することを特徴とする請求項９記載の健康管理装置。
【請求項１２】
前記補助採点手段は健康に関するクイズやライフスタイルに関するアンケート結果の良否を判定し採点することを特徴とする請求項９記載の健康管理装置。
【請求項１３】
前記補助採点手段は、被験者に測定を継続させることを目的としたゲームの結果を採点することを特徴とする請求項９記載の健康管理装置。
【手続補正２】
【補正対象書類名】明細書
【補正対象項目名】００３３
【補正方法】変更
【補正の内容】
【００３３】
図２は本健康管理装置１の機能構成ブロック図である。体重測定部１０およびＢＩ測定部１１で構成される前記測定入力部３と、前記手動入力部６と、前記表示部４と、前記個人キースイッチ部５が制御部１７に接続している。また、個人登録された個人情報や測定履歴データ等を個人別に格納する配列により構成される個人情報メモリ部１５と、健康管理の目標値を設定する目標設定部１２と、目標に対する健康管理達成度を採点する採点部１３と、時計計測を行う計時部１４とが制御部１７に接続されている。また電源１６は健康管理装置１に電力を供給する電源である。
【手続補正３】
【補正対象書類名】明細書
【補正対象項目名】００５３
【補正方法】変更
【補正の内容】
【００５３】
そして、測定結果採点の３段階目としてステップＳ１０２において、ダイエットにより減少した体重変化量が、体内の筋肉量や水分量のみの変化ではなく脂肪量であるかどうかを、体重値の変化と脂肪率の変化のバランスを判定する。前述の一定期間前測定日の測定結果データと今回測定結果を比較し、体重値と体脂肪率共に減少しておりバランスが取れていれば、体重変化量は体脂肪の変化量であると見なし、適切なダイエットであると判定する。
【手続補正４】
【補正対象書類名】明細書
【補正対象項目名】００５７
【補正方法】変更
【補正の内容】
【００５７】
そして３段階目のステップＳ１０２において、体重の減少に伴い体脂肪率も減少したかどうかを判定する。体脂肪率は現在２３．５％であり、1ヶ月前の２５．０％から減少していることから、体脂肪を減らす適切なダイエットであったと見なし、＋１点とする。
【手続補正５】
【補正対象書類名】図面
【補正対象項目名】図４
【補正方法】変更
【補正の内容】
【図４】
2003288417.tif 000001
【手続補正書】
【提出日】平成16年5月25日(2004.5.25)
【手続補正１】
【補正対象書類名】明細書
【補正対象項目名】符号の説明
【補正方法】変更
【補正の内容】
【符号の説明】
１…シート積載手段、２…シート引込手段、３…シート捌き手段、
４…駆動手段/摩擦接触機構、５…駆動源、
２１…画像形成装置、２２…装置本体、２３…画像読取装置(ＩＩＴ)、
２４…画像形成部、２５…感光体ドラム、２６…レーザー露光装置、
２７…現像装置、２８…カートリッジ、２９…画像処理装置(ＩＰＳ)、
３０…転写装置、３１…定着装置、３２…給紙トレイ、３３…ボトムプレート、
３４…給紙ロール群、３５…ピックアップロール、３６…フィードロール、
３７…リタードロール、３８…用紙搬送路、３９…トランスポートロール、
４０…レジストレーションロール、４１…第１の排紙ロール、４２…排紙トレイ、
５３…リフトレバー、５４…ジョイント、５５…リフトアップモータ、
５６…ノーペーパーセンサ、５７…サイズセンサ、
５８…フェイスコントロールセンサ、
６１…駆動ギア、６２…フィードクラッチ、６３…中間ギア、
６４…中間ギア、６５、６６…ギア、６７…アーム、６８…リタードギア、
６９…トルクリミッタ、７０…ジョイント、７１…サポータ、
８０…リング状部材、８１…ジョイント、８１ａ…ローレット部、８２…ギア、
８２ａ…ローレット部、８３…コイルスプリング、
Ｐ…シート(用紙)、Ｐ１…第１シート(１枚目の用紙)、Ｐ２…第２シート(２枚目の用紙)。
【手続補正書】
【提出日】平成16年5月25日(2004.5.25)
【手続補正１】
【補正対象書類名】明細書
【補正対象項目名】００２２
【補正方法】変更
【補正の内容】
【００２２】
図３は、本実施の形態における用紙供給機構を説明するための概略構成図である。用紙Ｐを積載した用紙トレイ３１〜３４は、その用紙トレイの抜き差しを検知するトレイセンサ５１と、用紙トレイに積載された用紙サイズに伴うトレイサイズを検出するトレイサイズセンサ５２を備えている。また、用紙トレイが装着されたことにより動作するリフター６０を有し、積載された用紙を供給可能な位置まで上昇させている。
ここで、引込ロール(Nudger Roll)３６は用紙捌き部３７における供給ロール(Feed Roll)５７の軸を支点とするブラケット５９を介して上下動するように構成され、ナジャーソレノイド５５のＯＮ(給電)により用紙表面に落下して用紙Ｐを送り出す機能を有している。また、符号５４は用紙の高さが基準値にあることを検知するためのトレイレベルセンサであり、ブラケット５９の一部が引込ロール３６の上下に追従してこのトレイレベルセンサ５４をＯＮ/ＯＦＦすることで用紙高さを検知するように構成されている。また、５３はトレイ内に用紙Ｐが有ることを検知するノーペーパーセンサであり、リフター６０により用紙Ｐが上昇し、用紙Ｐを搬送できる所謂ＲＥＡＤＹ状態となった時に、ノーペーパーセンサ５３がＯＮ(受光)であればトレイ内に用紙Ｐが存在するものと検知している。
【手続補正書】
【提出日】平成16年2月4日(2004.2.4)
【手続補正１】
【補正対象書類名】明細書
【補正対象項目名】請求項７
【補正方法】変更
【補正の内容】
【請求項７】
前記第二のブラックインク組成物により低濃度ブラック部分を印刷し、前記第一のブラックインク組成物を用いて高濃度ブラック部分を印刷する、請求項１〜６のいずれか一項に記載の記録方法。
【手続補正２】
【補正対象書類名】明細書
【補正対象項目名】請求項２１
【補正方法】変更
【補正の内容】
【請求項２１】
前記カーボンブラックを０．５〜５．０重量％で含んでなる、請求項１７〜２０のいずれか一項に記載のインク組成物。
【手続補正書】
【提出日】平成17年9月8日(2005.9.8)
【手続補正１】
【補正対象書類名】明細書
【補正対象項目名】００２８
【補正方法】変更
【補正の内容】
【００２８】
次にフロア４の下側に荷物などを車内から積み込んだり、積み込んだ荷物などを車内から取出す場合は、後部座席２側よりセンタリッド５の前端側のハンドル７に指に引っ掛けて、ハンドル７の先端を引き上げる。
【手続補正２】
【補正対象書類名】明細書
【補正対象項目名】００３５
【補正方法】変更
【補正の内容】
【００３５】
また各連動部材１２ａには、中央部を交差させた一対の連結杆１２ｂの両端が、回動中心を挟んで対向する位置に枢着されていて、一方のハンドル７を回動すると、各連動部材１２ａが反対方向へ連動回転するように構成されている。
【手続補正３】
【補正対象書類名】図面
【補正対象項目名】図１
【補正方法】変更
【補正の内容】
【図１】
2000318530.tif 000001
【手続補正書】
【提出日】平成17年5月25日(2005.5.25)
【手続補正１】
【補正対象書類名】明細書
【補正対象項目名】特許請求の範囲
【補正方法】変更
【補正の内容】
【特許請求の範囲】
【請求項１】
乗員の身体をシートに拘束するウェビングと、
前記ウェビングと摺接して前記ウェビングを案内するウェビングガイドとを備えたシートベルト装置において、
前記ウェビングガイドは、インサート金具に被覆樹脂をモールド成形してなり、かつ、前記ウェビングガイドにおける前記ウェビングと摺接する部位の少なくとも一部に、前記インサート金具に穿設される開口部の下縁に被せられる金属材が露出しており、
該金属材は該開口部の下縁に被せるように嵌合可能な嵌合部と、ウェビング摺接面となる円弧状面とを有することを特徴とするシートベルト装置。
【請求項２】
前記ウェビング摺接面の長手方向端部を上方にカールさせた形状としたことを特徴とする請求項１に記載のシートベルト装置。
【請求項３】
前記金属材のウェビング摺接面以外の部位に、複数の貫通穴またはスリットが形成されることを特徴とする請求項１または２に記載のシートベルト装置。
【請求項４】
前記インサート金具のウェビング摺接面側には凹凸部が形成され、該凹凸部は前記金属材と当接させることを特徴とする請求項１または３に記載のシートベルト装置。
【請求項５】
前記金属材と前記インサート金具との連続位置を前記ウェビング摺接面の下方位置としたことを特徴とする請求項４に記載のシートベルト装置。
【請求項６】
請求項１に記載のシートベルト装置の製造方法であって、前記金属材を予備的に曲げ加工しておき、前記インサート金具の開口部に前記金属材を挿入した後、前記金属材を最終的な所要形状とすることを特徴とするシートベルト装置の製造方法。
【請求項７】
乗員の身体をシートに拘束するウェビングと、
前記ウェビングと摺接して前記ウェビングを案内するウェビングガイドとを備えたシートベルト装置において、
前記ウェビングガイドは、インサート金具に被覆樹脂をモールド成形してなり、かつ、前記ウェビングガイドにおける前記ウェビングと摺接する部位の少なくとも一部に、前記インサート金具が露出しており、
前記インサート金具は金属板の打ち抜き加工により形成されることを特徴とするシートベルト装置。
【請求項８】
前記インサート金具の開口部には、前記被覆樹脂と前記インサート金具によるウェビング摺接面との間に間隙が形成されることを特徴とする請求項７に記載のシートベルト装置。
【請求項９】
前記被覆樹脂はポリアミド系樹脂、ポリアセタール、強化剤入りポリプロピレン、またはポリカーボネートのいずれかであることを特徴とする請求項７または８に記載のシートベルト装置。
【請求項１０】
湾曲加工された金属板がインサート金具と背中合わせに重ねられ、前記湾曲加工された金属板と前記インサート金具の湾曲面とが、略円弧状に連続した湾曲面を形成することを特徴とする請求項７乃至９のいずれかに記載のシートベルト装置。
【請求項１１】
前記インサート金具は左右略対称となるように２枚の金属板が厚み方向に重ね合わされることを特徴とする請求項７乃至９のいずれかに記載のシートベルト装置。
【請求項１２】
前記２枚の金属板の湾曲面により断面視略円弧状のウェビング摺接面が形成されることを特徴とする請求項１１に記載のシートベルト装置。
【請求項１３】
前記インサート金具は２枚の金属板が厚み方向に重ね合わされ、前記金属板の一方が他方よりも薄く形成されることを特徴とする請求項７乃至９のいずれかに記載のシートベルト装置。
【請求項１４】
前記インサート金具は２枚の金属板が厚み方向に重ね合わされ、前記金属板の一方に凸部が設けられ、前記金属板の他方には貫通穴または凹部が設けられ、前記凸部と前記貫通孔または凹部とが嵌合され相対的に位置決めされることを特徴とする請求項７乃至９のいずれかに記載のシートベルト装置。
【請求項１５】
前記インサート金具は２枚の金属板が厚み方向に重ね合わされ、前記金属板の一方の開口部が前記ウェビング挿通間隙に略等しいことを特徴とする請求項７乃至９のいずれかに記載のシートベルト装置。
【請求項１６】
前記金具板の一方の下縁全体が湾曲加工されることによりウェビング摺接面が形成されることを特徴とする請求項１５に記載のシートベルト装置。
【請求項１７】
前記インサート金具の開口部の下縁に絞り加工部を有することを特徴とする請求項７乃至９のいずれかに記載のシートベルト装置。
【請求項１８】
絞り加工により所要形状に形成し、前記インサート金具の前記開口部内縁全周に渡り被せるように嵌合させる絞り加工金属材をさらに備え、当該絞り加工金属材の端部を加締めることでウェビング摺接面を形成することを特徴とする請求項７乃至９のいずれかに記載のシートベルト装置。
【請求項１９】
乗員の身体を拘束するウェビングと、
前記ウェビングと摺接して前記ウェビングを案内するウェビングガイドとを備えたシートベルト装置において、
前記ウェビングガイドは、インサート金具に被覆樹脂をモールド成型してなり、
前記インサート金具の開口部下縁に設けられた樹脂モールド部と、
前記樹脂モールド部の周囲に巻回される湾曲加工された金属材とを備え、前記金属材の一部表面でウェビング摺接面を形成したことを特徴とするシートベルト装置。
【請求項２０】
前記金属材の端部に複数の円筒状部が設けられ、該各円筒状部は各円筒状部が連通された状態で１本のピンが嵌挿され、前記金属材の下端部が連結されていることを特徴とする請求項１９に記載のシートベルト装置。
【請求項２１】
前記金属材が前記被覆樹脂の形状に合わせた形状記憶合金で形成されることを特徴とする請求項１９に記載のシートベルト装置。
【請求項２２】
前記被覆樹脂の一部に凸部がさらに設けられ、前記金属材の一部に前記凸部に対応するように孔部を備え、前記凸部に孔部が挿入されるように前記金属材が被せられることを特徴とする請求項１９に記載のシートベルト装置。
【手続補正書】
【提出日】平成16年6月1日(2004.6.1)
【手続補正１】
【補正対象書類名】明細書
【補正対象項目名】特許請求の範囲
【補正方法】変更
【補正の内容】
【特許請求の範囲】
【請求項１】
天板１０と、両側板１１と、底板１２とからなる断面角筒形で、その内部輪郭によってフイルムを筒状化する製筒機具であつて、前記天板から底板に向けて前記両側板それぞれに形成した前面傾斜１３の上下コーナ４個所に、外側コーナの角張りを取り除いた裁頭円錐形の滑車３０，３１を横向きに回転自在に支持する一方、前記底板１２でのセンタースリット３２と該底板前面のＶ字縁３３とのコーナそれぞれに、外側コーナの角張りを取り除いた裁頭円錐形の滑車３４を下向きに回転自在に支持して構成したホーマ。
【請求項２】
底板４０と、両側板４１との角溝形で、その内部輪郭によってフイルムを溝状化する製筒機具であつて、前記底板から両側板に向け該両側板それぞれに形成した前面傾斜４２の上下コーナ４個所に、外側コーナの角張りを取り除いた裁頭円錐形の滑車４３，４４を横向きに回転自在に支持して構成したホーマ。
【手続補正２】
【補正対象書類名】明細書
【補正対象項目名】０００５
【補正方法】変更
【補正の内容】
【０００５】
【発明の実施例】
図１及び図２に示すようにホーマは、機台１６に連結材１７を介して固定した天板１０と、前記天板の両側縁からそれぞれ垂下した側板１１と、前記側板に固定しかつ中央にスリット３２を備えもつ底板１２とからなり、前記両側板の前縁にはそれぞれ前面傾斜１３を、また前記底板１２の前縁にはスリツトに向けてＶ字縁３３を形成している。前記両側板の上下コーナそれぞれに横向きに設けた裁頭円錐形の滑車３０，３１は、図４に示すように外側コーナをテーパ加工３５して角張りを除去しており、また底板１２のスリツト３２とのコーナの２個の滑車３４も図４と同じように、コーナを傾斜させた裁頭円錐形で前記テーパ部がフイルム１５と面接触するように配慮している。
【手続補正３】
【補正対象書類名】図面
【補正対象項目名】全図
【補正方法】変更
【補正の内容】
【図１】
2000318707.tif 000001
【図２】
2000318707.tif 000002
【図３】
2000318707.tif 000003
【図４】
2000318707.tif 000004
【図５】
2000318707.tif 000005
【手続補正書】
【提出日】平成17年9月21日(2005.9.21)
【手続補正１】
【補正対象書類名】明細書
【補正対象項目名】００３３
【補正方法】変更
【補正の内容】
【００３３】
なお、シリンダー孔６と駒部材７，８は、その断面が円形であるが、シリンダー孔６は、その断面が四角形、三角形等の非円形に形成してあると共に、一対の駒部材７，８も、これに対応して、その断面が四角形、三角形等の非円形に形成してあってもよい。また、第１及び第２傾斜面７ａ，８ａは、平面でもよく、インナーコラム３の外周面に対応した曲面形状であってもよい。